(57)【要約】      （修正有）【課題】遊技者が床面上に遊技媒体を落としてしまった場合に、落下した遊技媒体が床面上を転動して遊技島台の一側面から他側面へと移動してしまうことを抑制可能な遊技島台を提供する。【解決手段】遊技島台の短手方向中央部に空洞部の長手方向一端部から他端部にわたって載置される突出部材１１を備えるため、遊技者の遊技媒体が床面上を転動して遊技島台の一側面から他側面へ移動することを抑制できる。また、突出部材固定部材１２によって遊技機設置枠を形成する中枠形成部材と突出部材１１とを連結することにより突出部材１１を床面に対して固定するため、突出部材１１の取り外しが容易となり、突出部材１１を取り外して床面を掃除することができる。【選択図】図３
2014128334.tif 000002
【特許請求の範囲】
【請求項１】
遊技機を収容する遊技機収容部を有する遊技機設置枠と、
該遊技機収容部の下方に設けられる空洞部を有する下部収容枠と、を備える遊技島台において、
前記下部収容枠は、床面に接地して前記下部収容枠を支持する脚部を有し、
前記空洞部には、前記遊技島台の短手方向中央部に前記空洞部の長手方向一端部から他端部にわたって床面に載置される突出部材と、
前記遊技機収容部と前記突出部材との間に設けられ且つ前記床面に対して前記突出部材を押圧固定する突出部材固定部材と、を備えることを特徴とする遊技島台。
【請求項２】
前記突出部材固定部材は、高さ方向の長さを調整可能な長さ調整手段を備えることを特徴とする請求項１記載の遊技島台。
【請求項３】
前記長さ調整手段は、前記遊技機収容部に近接する前記突出部材固定部材の上部位置に設けられることを特徴とする請求項２記載の遊技島台。
【請求項４】
前記突出部材固定部材は、前記突出部材の長手方向に移動可能な位置調整手段を備えることを特徴とする請求項１乃至請求項３のいずれかに記載の遊技島台。
【請求項５】
前記突出部材固定部材の下端部には、前記位置調整手段としてのコ字状の嵌合部を有し、
前記突出部材固定部材は、前記嵌合部によって前記突出部材を被嵌して長手方向に沿って移動可能にされることを特徴とする請求項４記載の遊技島台。
【請求項６】
前記突出部材は、複数の前記突出部材固定部材によって複数個所固定されることを特徴とする請求項１乃至請求項５のいずれかに記載の遊技島台。
【請求項７】
前記複数の突出部材固定部材をそれぞれ所定の高さ位置で接続する掛け渡し部材を備えることを特徴とする請求項６記載の遊技島台。
【発明の詳細な説明】
【技術分野】
【０００１】
本発明は、遊技機を設置する遊技島台に関するものである。
【背景技術】
【０００２】
従来、複数の遊戯機器（本願の「遊技機」に相当）と、複数の遊技媒体貸出機と、前記遊戯機器と前記遊技媒体貸出機とを収容する枠体と、該枠体の底部と床面との間に、前記枠体の長手方向に沿って隔離して複数個配置された支持脚部によって、枠体の底部と床面との間に空間部が形成される遊技島台が提案されている（例えば特許文献１）。
【先行技術文献】
【特許文献】
【０００３】
【特許文献１】特開２００２−６６１０１号公報（図１）
【発明の概要】
【発明が解決しようとする課題】
【０００４】
特許文献１の遊技島台は、枠体の底部と床面との間に空間部が形成され、空調を使用した場合には空気の流れが良くなり遊技場内において温度むらが生じることがなくなるという効果が得られるとともに、遊技者が足を伸ばし楽な姿勢で遊技を長時間継続して行うために十分な空間が形成され疲労を軽くする効果が得られる。しかしながら、遊技者が床面上に遊技媒体であるパチンコ玉やメダル等を落としてしまった場合に床面上を転動してしまい、遊技島台の一側面から他側面へと移動してしまうという問題が生じる。上記問題点に対して、床面上に空洞部が形成される遊技島台の下方に、遊技媒体が床面上を転動して一側面から他側面へと移動することを防止する部材を載置することが考えられるが、そのように載置するだけではこの部材が移動してしまい、上記問題点を完全に解決することはできない。本発明は上記した事情に鑑みなされたものであり、その目的とするところは、床面上に空洞部が形成される遊技島台において、遊技者が床面上に遊技媒体を落としてしまった場合に、落下した遊技媒体が床面上を転動して遊技島台の一側面から他側面へと移動してしまうことを抑制可能な遊技島台を提供することにある。
【課題を解決するための手段】
【０００５】
上記した目的を達成するために、請求項１の発明においては、遊技機を収容する遊技機収容部を有する遊技機設置枠と、該遊技機収容部の下方に設けられる空洞部を有する下部収容枠と、を備える遊技島台において、前記下部収容枠は、床面に接地して前記下部収容枠を支持する脚部を有し、前記空洞部には、前記遊技島台の短手方向中央部に前記空洞部の長手方向一端部から他端部にわたって床面に載置される突出部材と、前記遊技機収容部と前記突出部材との間に設けられ且つ前記床面に対して前記突出部材を押圧固定する突出部材固定部材と、を備えることを特徴とする。
【０００６】
また、請求項２においては、前記突出部材固定部材は、高さ方向の長さを調整可能な長さ調整手段を備えることを特徴とする。
【０００７】
また、請求項３においては、前記長さ調整手段は、前記遊技機収容部に近接する前記突出部材固定部材の上部位置に設けられることを特徴とする。
【０００８】
また、請求項４においては、前記突出部材固定部材は、前記突出部材の長手方向に移動可能な位置調整手段を備えることを特徴とする。
【０００９】
また、請求項５においては、前記突出部材固定部材の下端部には、前記位置調整手段としてのコ字状の嵌合部を有し、前記突出部材固定部材は、前記嵌合部によって前記突出部材を被嵌して長手方向に沿って移動可能にされることを特徴とする。
【００１０】
また、請求項６においては、前記突出部材は、複数の前記突出部材固定部材によって複数個所固定されることを特徴とする。
【００１１】
また、請求項７においては、前記複数の突出部材固定部材をそれぞれ所定の高さ位置で接続する掛け渡し部材を備えることを特徴とする。
【発明の効果】
【００１２】
請求項１の発明においては、遊技島台の短手方向中央部に空洞部の長手方向一端部から他端部にわたって床面に載置される突出部材を動かないように押圧固定しているため、遊技者の遊技媒体が床面上を転動して遊技島台の一側面から他側面へ移動することを抑制できる。
【００１３】
また、請求項２の発明においては、突出部材固定部材が高さ方向の長さを調整可能であるため、床面から遊技機収容部までの高さが異なる複数種類の遊技島台のいずれに対しても最適な長さに調整することができる。
【００１４】
また、請求項３の発明においては、長さ調整手段を突出部材固定部材の上部位置に設けることで遊技中の遊技者や遊技場内を歩行している遊技者から長さ調整手段を視認し難くなり、外観を損なわないことに加え、遊技者によって調整手段の調整状態を緩めるような悪戯を防止することが可能となる。
【００１５】
また、請求項４の発明においては、突出部材固定部材を突出部材の長手方向に移動可能とするため、突出部材固定部材の取り付け位置が異なる複数の遊技島台のいずれに対しても遊技機収容部の適切な位置に突出部材固定部材を移動させて突出部材を押圧固定することが可能になる。
【００１６】
また、請求項５の発明においては、突出部材固定部材の短手方向の移動が規制されるため、突出部材と突出部材固定部材とをより強固に固定することができる。
【００１７】
また、請求項６の発明においては、複数の突出部材固定部材によって突出部材を複数個所固定するため、突出部材をより強固に固定することができる。
【００１８】
また、請求項７の発明においては、掛け渡し部材によって所定の高さ位置で複数の突出部材固定部材を接続するため、遊技者の遊技媒体が床面上を転動し、遊技島台の一側面から他側面へと移動することを抑制するだけでなく、掛け渡し部材と掛け渡し部材との間隔よりも大きいものが遊技島台の一側面から他側面へと移動することを抑制でき、セキュリティの向上を図ることができる。
【図面の簡単な説明】
【００１９】
【図１】遊技島台の全体を示す斜視図である。
【図２】遊技島台の全体を示す正面図である。
【図３】突出部材固定部材と突出部材とが当接した状態の防護柵部材を示す斜視図である。
【図４】突出部材固定部材と突出部材とが当接した状態の防護柵部材を示す拡大図である。
【図５】突出部材固定部材と突出部材との当接を解除した状態の防護柵部材を示す拡大図である。
【図６】突出部材固定部材と突出部材との当接を解除した状態の防護柵部材を示す側面図である。
【図７】突出部材固定部材の高さ調整部材を示す拡大図である。
【図８】突出部材固定部材の高さ調整部材を示す側面図である。
【図９】突出部材固定部材を遊技機設置枠の中枠形成部材と突出部材とにそれぞれ当接させて突出部材を床面に押圧固定した状態を示す斜視図である。
【発明を実施するための形態】
【００２０】
以下、図面を参照して本発明の実施形態について説明する。まず、図１及び図２を参照して実施形態に係る遊技島台１について説明する。図１は、遊技島台１の全体を示す斜視図であり、図２は、遊技島台１の全体を示す正面図である。なお、図１及び図２に示す遊技島台１には、遊技機が設置されていない状態のものを示すが、両側面には複数の遊技機が列設される。また、本実施形態における遊技島台１は、遊技機としてパチンコ機を設置したものを例に説明するが、これに限られるものではなく遊技機としてパチンコ機（弾球遊技機）やスロット機（回動式遊技機）、パチンコ玉を使用して行うスロット機であるパロット等が設置されるものであってもよい。
【００２１】
図１及び図２において、遊技島台１は、周知のようにそのほぼ中央側面に複数の遊技機を列設するように中枠形成部材３ａによって直方体状に枠組み形成されることにより遊技機を収容する遊技機収容部を有する遊技機設置枠３と、上枠形成部材２ａによって遊技機設置枠３の上方に直方体状に枠組み形成されて後述する玉揚送装置によって揚送されたパチンコ玉を受け入れる上部タンクからパチンコ機にパチンコ玉を供給する補給樋及び分岐装置等が収容される上部収容枠２と、遊技島台１で営業中に必要とされ得る玉量を貯留する下部貯留タンク及び下部貯留タンクにパチンコ機から排出されるパチンコ玉を誘導する回収樋８（図９参照）等の遊技を補助する補助装置を収容する補助装置収容部と補助装置収容部に隣接する空洞部と床面に接地して遊技島台１を支持する脚部とを有する下部収容枠４と、から構成されている。なお、下部収用枠は、遊技機設置枠に隣接する空洞部と床面に設置して遊技島台１を支持する脚部のみ形成されるものでも良い。
【００２２】
また、遊技島台１の長手方向のほぼ中央には、下部貯留タンク６に貯留されたパチンコ玉を導き入れて上部タンクに揚送する玉揚送装置（図示しない）が設置される揚送装置収容部５を有するとともに、揚送装置収容部５の側方の下部収容枠４には下部貯留タンク６を有している。また、遊技機設置枠３の長手方向の遊技機収容部の下方（下部収容枠４の上部側面）には腰板７が設けられ、腰板７の内側に収容される回収樋８によって各パチンコ機から排出されるパチンコ玉を回収して玉揚送装置へと導くようになっている。
【００２３】
また、遊技島台１の遊技機設置枠３を形成する複数の中枠形成部材３ａは通常床面に接地して遊技島台１の全体を支持する。本実施形態では、遊技機設置枠３を形成する複数の中枠形成部材３ａのうち一部（所定数）の中枠形成部材３ａにおいて、床面に接地することなく遊技機設置枠３の下端部で切断され、これにより下部収容枠４の一部が刳り貫かれた空洞部を有するようになっている。また、空洞部には遊技機設置枠３の下端部で切断される中枠形成部材３ａと連結して遊技島台１を支持する防護柵部材１０を設置する。この防護柵部材１０は空気の循環を妨げないように通気性を有するように形成されるとともに、遊技者のパチンコ玉を落としてしまった場合に床面上を転動して遊技島台１の一側面から他側面へと移動してしまうことや、人や物が遊技島台１の一側面から他側面へと移動することを抑制するものであり、次に詳述するように本実施形態の要部を構成する突出部材１１と突出部材固定部材１２とから構成されている。以下、防護柵部材１０について図３−図９を参照して詳細に説明する。図３は、突出部材固定部材１２と突出部材１１とが当接した状態の防護柵部材１０を示す斜視図であり、図４は、突出部材固定部材１２と突出部材１１とが当接した状態の防護柵部材１０を示す拡大図であり、図５は、突出部材固定部材１２と突出部材１１との当接を解除した状態の防護柵部材１０を示す拡大図であり、図６は、突出部材固定部材１２と突出部材１１との当接を解除した状態の防護柵部材１０を示す側面図であり、図７は、突出部材固定部材１２の高さ調整部材２０を示す拡大図であり、図８は、突出部材固定部材１２の高さ調整部材２０を示す側面図であり、図９は、突出部材固定部材１２によって遊技機設置枠３の中枠形成部材３ａと突出部材１１とを連結させて突出部材１１を床面に押圧固定した状態を示す斜視図である。
【００２４】
図３乃至図９において、防護柵部材１０は、凸形状の突出部材１１と、下端部に設けられたコ字状のスライド係合部１３により突出部材１１の突部を被嵌して突出部材１１上に起立するとともに上部に設けられて高さ方向の長さを調整可能な高さ調整部材２０によって高さ方向の長さを調整して遊技機設置枠３の中枠形成部材３ａと連結することにより突出部材１１を床面に押圧固定する突出部材固定部材１２と、から構成される。
【００２５】
本実施形態の突出部材１１は、遊技島台１の短手方向中央部（短手方向の中央付近や略中央であれば厳密に中央でなくてもよい）に下部収容枠４の空洞部の長手方向一端部から他端部にわたって所定幅（図示の場合には約７ｃｍ程度）の底部を床面に載置し、床面から所定高さ（図示の場合は約４ｃｍ程度）突出する。そして、遊技者のパチンコ玉が床面上へ落下した場合に、床面上を転動して遊技島台１の一側面から他側面へ移動することを抑制する。なお、突出部材１１の底部幅及び高さは、床面上を転動するパチンコ玉の遊技島台１の一側面から他側面への移動を抑制できる程度であればよい。また、本例では突出部材１１の底部を床面に密着させて突出部材固定部材１２により押圧固定するように構成したが、突出部材１１と床面との間に遊技媒体が通過できない程度の隙間を有するように突出部材１１を床面に押圧固定するようにしてもよい。例えば、突出部材１１の底部の所定個所に滑り止めのゴム等を貼着することによって突出部材１１と床面との間に遊技媒体が通過できない程度の隙間を有するように突出部材１１を床面に押圧固定するようにしてもよい。
【００２６】
なお、本実施形態の突出部材１１は、図６に示すように凸形状の木製ベース１１ａの周囲をステンレス鋼で形成される被覆部材１１ｂで覆って形成されることにより、突出部材１１を全てステンレス鋼で形成した場合に比べてコストダウン及び軽量化を図ることができるとともに、木製ベース１１ａ単体で形成した場合に比べて強度を高めることが可能となっている。ただし、内包される木製ベース１１ａは、湿気等によって木製ベース１１ａが腐食するおそれがある。本実施形態では、突出部材１１を床面に載置した後、突出部材固定部材１２によって遊技機設置枠３の中枠形成部材３ａと突出部材１１とを連結させて突出部材１１を床面に押圧固定するように構成されるため、突出部材１１の取り外しが容易となり、木製ベース１１ａが腐食した場合であっても突出部材１１を取り外して交換することができる。
【００２７】
突出部材１１を押圧固定する突出部材固定部材１２は、長手方向両端部にそれぞれ下部収容枠４の内壁と接続（下部収容枠４の内壁に当接するようにしてもよいし、下部収容枠４の内壁と当接しない程度に近接するようにしてもよい）される一対のサイド支持部材１４を備えるとともに、一端部のサイド支持部材１４と他端部のサイド支持部材１４とを所定の高さ位置で連結する掛け渡し部材としての複数のポール部材１５を備えている。図３に示すように本実施形態では四本のポール部材１５がそれぞれ異なる高さ位置に設けられている。
【００２８】
また、一端部と他端部のサイド支持部材１４の間にはスライド係合部１３及び高さ調整部材２０を有するスライド支持部材１６が所定数（長手方向の長さに応じて１本乃至複数本のいずれかの本数、図３では２つ）設けられ、これらスライド支持部材１６の上下方向に沿って貫設される複数のポール挿入穴１６ａ（図４参照）にポール部材１５を貫通させてスライド支持部材１６の脱落を防止するとともに、スライド係合部１３によって突出部材１１の突部を被嵌して突出部材固定部材１２を突出部材１１上に起立可能にしている。なお、遊技機収容部と突出部材との間に設けられる突出部材固定部材１２は突出部材１１を押圧固定するように構成されるものであれば上記したものに限らず、床面上に起立して遊技機設置枠３の中枠形成部材３ａに接続される脚部から水平方向に突出するように設けられる突出部材固定部材１１によって突出部材１１を下方（床面方向）に押圧固定するようにしてもよい。
【００２９】
スライド支持部材１６の上部に設けられる高さ調整部材２０は、図４乃至図８に示すようにスライド支持部材１６の上部を被嵌するコ字状の支持部材係合部２１と、支持部材係合部２１の上部表面の中央に形成される穴に対して支持部材係合部２１の内側から軸部が挿入されるとともに頭部が支持部材係合部２１の内側部分に溶接固定されるボルト２２と、底部の中央部にボルト２２を挿入可能な切欠穴２４ａを有するとともに遊技機設置枠３を形成する中枠形成部材３ａの下部を被嵌するコ字状の島台係合部２４と、島台係合部２４の切欠穴２４ａの上下を挟み込むようにボルト２２に螺合されるとともに相互に接近する方向に締め付けて島台係合部２４を所定の高さ位置で固定するナット２３と、から構成される。
【００３０】
なお、本実施形態では島台係合部２４の長手方向中央部付近の側壁の一部が切り欠けられた切欠部２４ｂを有している。また、切欠部２４ｂに対応する底部に切欠穴２４ａを形成することにより、ボルト２２にナット２３を取り付けた状態でも切欠穴２４ａ及び切欠部２４ｂからボルト２２を島台係合部２４の底部の中央部にスライドさせた後、島台係合部２４を挟み込むように上下に設けられるナット２３を相互に接近する方向に締め付けることで島台係合部２４を所定の高さ位置に固定したり、この所定の高さ位置に固定される島台係合部２４を挟み込むように上下に設けられるナット２３を互いに遠ざかる方向に回転させてナット２３による島台係合部２４の挟み込みを緩めた後、ボルト２２をスライドさせて島台係合部２４の底部の中央部から切欠穴２４ａ及び切欠部２４ｂを介してボルト２２を取り外したり、少なくとも島台係合部２４の下方に位置するナット２３を下方に移動するように回転させてナット２３による島台係合部２４の挟み込みを緩めると共に島台係合部２４の高さ位置を下げることにより中枠形成部材３ａの下部の被嵌を解除して中枠形成部材３ａから高さ調整部材２０を取り外すという作業が容易にできるようになっている。このように、島台係合部２４に切欠穴２４ａを形成することでボルト２２の挿入や高さ調整部材２０の脱着に際してナット２３の取り外しが不要となり、作業時間の短縮化や手間を省くことが可能であるが、島台係合部２４を所定の高さ位置で固定する機能を有するものであればこれに限定されるものではなく、切欠穴２４ａではなく島台係合部２４へのボルト２２の挿入に際してナット２３の取り外しが必要となるような穴を形成するようにしてもよい。
【００３１】
また、スライド係合部１３及び高さ調整部材２０を有するスライド支持部材１６は突出部材１１の長手方向の長さに応じて所定数設けられるものである。なお、スライド係合部１３及び高さ調整部材２０を有するスライド支持部材１６を複数本備えて突出部材１１を複数個所で押圧固定することで、突出部材１１をより強固に固定することができる。
【００３２】
また、スライド支持部材１６はポール部材１５を貫通させるものであるが、ポール部材１５とスライド支持部材１６とは溶接等されていないため、スライド支持部材１６はポール部材１５に沿って長手方向にスライド可能であり、また、突出部材１１の突部を被嵌するスライド係合部１３も、突出部材１１と溶接等されていないため、高さ調整部材２０によって高さ方向の長さを調整して突出部材１１を押圧していない状態ではポール部材１５に沿って長手方向へのスライドが可能となっている。そのため、高さ調整部材２０によって高さ方向の長さを調整して遊技機設置枠３を形成する中枠形成部材３ａと連結させる際にスライド支持部材１６を適切な位置（本実施形態では中枠形成部材３ａの下方延長線上）にスライドさせて突出部材１１を確実に固定することが可能になる。
【００３３】
このように、突出部材固定部材１２を設置するときには、下端部が切断されて床面に接地していない中枠形成部材３ａの延長上となるようにスライド支持部材１６を移動してスライド支持部材１６の上部に設けられる高さ調整部材２０の島台係合部２４により中枠形成部材３ａの下部を被嵌するとともに、スライド支持部材１６の下端部に設けられるスライド係合部１３により突出部材１１の突部を被嵌することで中枠形成部材３ａと突出部材１１とを連結する。これにより、突出部材固定部材１２が中枠形成部材３ａを下方から支えるため、複数の中枠形成部材３ａのうち一部が遊技機設置枠３の下端部で切断されて床面に設置しない場合であっても突出部材固定部材１２によって切断された中枠形成部材３ａを下方から支えて遊技島台１を補強し、遊技島台１の強度を保つ（遊技島台１の強度を低下させないようにする）ことができる。
【００３４】
なお、本実施形態ではスライド支持部材１６の下端部に設けられるスライド係合部１３によって突出部材１１の突部を被嵌するように構成したが、これに限られるものではなく、サイド支持部材１４の下端部にコ字状のサイド係合部を設けてこのサイド係合部とスライド支持部材１６に設けられるスライド係合部１３との一方又は両方によって突出部材１１の突部を被嵌するようにしてもよいし、一対のサイド支持部材１４が連結するようなサイド係合部を設けることにより一体形成するとともにコ字状の底部によって突出部材１１の突部を被嵌するようにしてもよい。また、一対のサイド支持部材１４をコ字状の連結部材で連結させてコ字状の底部によって突出部材１１の突部を被嵌する場合には、スライド支持部材１６のスライド係合部１３によりサイド支持部材１４のコ字状の底部を被嵌してサイド支持部材１４の底部上をスライド支持部材１６がスライドするように構成するようにしてもよい。
【００３５】
また、上記したように高さ調整部材２０はスライド支持部材１６の上部に設けられる。そして、防護柵部材１０を遊技島台１に連結する際には、スライド支持部材１６を中枠形成部材３ａの下方延長線上にスライドさせた後、島台係合部２４によって中枠形成部材３ａの下部を被嵌し、さらに島台係合部２４によって中枠形成部材３ａを上方向に押圧する一方、スライド支持部材１６のスライド係合部１３に突出部材１１を下方向に押圧するように高さ調整部材２０のナット２３を回して島台係合部２４の高さ位置を調整することで突出部材１１を押圧固定するとともにスライド支持部材１６をスライドしないように固定する。
【００３６】
上記したように突出部材１１は遊技島台１の短手方向中央部に設けられ、この突出部材１１上に起立する突出部材固定部材１２の上部に設けられる高さ調整部材２０の取り付け時には高さ調整部材２０が遊技島台１の短手方向中央部に位置することになる。また、上記したように遊技機設置枠３の遊技機収容部の長手方向下方（下部収容枠４の上部側面）には腰板７が設けられ、椅子に座って遊技を行っている遊技者や遊技場内を歩行している遊技者による下部収容枠４の空洞部の上部の視認を妨げるようになっている。即ち、椅子に座って遊技を行っている遊技者や遊技場内を歩行している遊技者から視認できない位置に高さ調整部材２０が設けられるため、高さ調整部材２０を遊技者が操作して防護柵部材１０及び突出部材１１を外す等の悪戯を防止することができる。
【００３７】
なお、島台係合部２４によって遊技機設置枠３を形成する中枠形成部材３ａの下部を被嵌した後、島台係合部２４と中枠形成部材３ａの下部とを螺着するようにしてもよく、この場合には島台係合部２４の中枠形成部材３ａからの脱落を防止できるため、突出部材固定部材１２による突出部材１１の固定がより強固となる。また、この場合であっても本実施形態では島台係合部２４の底部に切欠穴２４ａを形成してナット２３を取り外すことなくボルト２２の切欠穴２４ａへの挿入を解除できるため、突出部材固定部材１２及び突出部材１１の取り外しが容易となる。
【００３８】
また、高さ調整部材２０の支持部材係合部２１によってスライド支持部材１６の上部を被嵌した後、支持部材係合部２１とスライド支持部材１６の上部とをビス止めや螺着するようにしてもよく、この場合には支持部材係合部２１のスライド支持部材１６からの脱落を防止できるため、突出部材固定部材１２による突出部材１１の固定がより強固となる。
【００３９】
なお、本実施形態では突出部材１１を床面に載置した後、突出部材固定部材１２によって遊技機設置枠３の中枠形成部材３ａと突出部材１１とを連結させて突出部材１１を床面に押圧固定する例について示したが、突出部材１１の設置位置を決定するときに接着剤等により予め決定した位置に固定した後、突出部材固定部材１２によって遊技機設置枠３の中枠形成部材３ａと突出部材１１とを連結させて突出部材１１を床面に押圧固定するようにしてもよい。この場合には、突出部材１１を床面に押圧固定するときの作業効率を向上させることができる。
【００４０】
以上、本発明によれば、遊技島台１の短手方向中央部に空洞部の長手方向一端部から他端部にわたって床面に載置される突出部材１１を動かないように押圧固定しているため、遊技者の遊技媒体が床面上を転動して遊技島台１の一側面から他側面へ移動することを抑制できる。
【００４１】
また、高さ調整部材２０によって突出部材固定部材１２の高さ方向の長さを調整可能であるため、床面から遊技機設置枠３を形成する中枠形成部材３ａまでの高さが異なる複数種類の遊技島台１のいずれに対しても最適な長さに調整することができる。
【００４２】
また、高さ調整部材２０を突出部材固定部材１２の上部に設けることで遊技中の遊技者や遊技場内を歩行している遊技者から高さ調整部材２０を視認し難くなり、外観を損なわないことに加え、遊技者によって高さ調整手段２０のボルト２２及びナット２３の螺合状態を緩めるような悪戯を防止することが可能となる。
【００４３】
また、突出部材固定部材１２を突出部材１１の長手方向に移動可能とするため、中枠形成部材３ａの間隔が異なること等により突出部材固定部材１２の取り付け位置が異なる複数の遊技島台１のいずれに対しても適切な位置（中枠形成部材３ａの下方延長線上）に突出部材固定部材１２を移動させて突出部材１１を押圧固定することが可能になる。
【００４４】
また、突出部材固定部材１２の短手方向の移動が規制されるため、突出部材１１と突出部材固定部材１２とをより強固に固定することができる。
【００４５】
また、複数の突出部材固定部材１２によって突出部材１１を複数個所固定するため、突出部材１１をより強固に固定することができる。
【００４６】
また、ポール部材１５によって所定の高さ位置で複数の突出部材固定部材１２を接続するため、遊技者の遊技媒体が床面上を転動し、遊技島台１の一側面から他側面へと移動することを抑制するだけでなく、ポール部材１５とポール部材１５との間隔よりも大きいものが遊技島台の一側面から他側面へと移動することを抑制でき、セキュリティの向上を図ることができる。
【符号の説明】
【００４７】
１  遊技島台
２  上部収容枠
３  遊技機設置枠
３ａ  中枠形成部材
４  下部収容枠
５  揚送装収容部
７  腰板
１０  防護柵部材
１１  突出部材
１１ａ  木製ベース
１１ｂ  被覆部材
１２  突出部材固定部材
１３  スライド係合部
１４  サイド支持部材
１５  ポール部材
１６  スライド支持部材
１６ａ  ポール挿入孔
２０  高さ調整部材
２１  支持部材係合部
２４  島台係合部
【図１】
2014128334.tif 000003
【図２】
2014128334.tif 000004
【図３】
2014128334.tif 000005
【図４】
2014128334.tif 000006
【図５】
2014128334.tif 000007
【図６】
2014128334.tif 000008
【図７】
2014128334.tif 000009
【図８】
2014128334.tif 000010
【図９】
2014128334.tif 000011